(57)【要約】      （修正有）【課題】ロックキーが複製されてもロックを解除することが出来ないようにすること。【解決手段】ロック位置とロック解除位置との間を回動可能な鉤部と、許可信号を受信した場合に前記鉤部の回動を許可する回動許可部とを有するロック装置と、周壁を有する筐体と、前記筐体の周壁に開口され、前記ロック装置の鉤部が挿入可能な連結孔と、前記ロック装置が前記連結孔に挿入されているか否かを検出する検出部と、前記ロック装置が前記連結孔に挿入されている場合に、前記ロック装置の回動許可部に前記許可信号を供給する手段とを有する電子機器とを具備する。【選択図】    図５
2007172413.tif 000002
【特許請求の範囲】
【請求項１】
ロック位置とロック解除位置との間を回動可能な鉤部と、許可信号を受信した場合に前記鉤部の回動を許可する回動許可部とを有するロック装置と、
周壁を有する筐体と、前記筐体の周壁に開口され、前記ロック装置の鉤部が挿入可能な連結孔と、前記ロック装置が前記連結孔に挿入されているか否かを検出する検出部と、前記ロック装置が前記連結孔に挿入されている場合に、前記ロック装置の回動許可部に前記許可信号を供給する手段とを有する電子機器とを具備する電子機器システム。
【請求項２】
前記ロック装置は、識別情報が格納された格納部を更に有し、
前記電子機器は、前記格納部に格納された識別情報を読み出す読出部と、前記読出部によって読み出された識別情報が登録された登録部とを更に有し、
前記回動許可部は、前記連結孔に挿入されたロック装置から前記読出部によって読み出された識別情報が前記登録部に登録されている場合に、前記許可信号を前記回動許可部に供給することを特徴とする請求項１記載の電子機器システム。
【請求項３】
前記電子機器は、ユーザが情報を入力するための入力部を更に具備し、
前記登録部には、前記識別情報に対して関連付けられた認証情報が更に登録され、
前記鉤部がロック位置にある場合、前記回動許可部は、前記ユーザが入力した情報と前記登録部に登録された認証情報と一致した場合に前記許可信号を前記回動許可部に供給することを特徴とする請求項２記載の電子機器システム。
【請求項４】
前記電子機器は、前記電子機器の電源投入時、前記読出部によって読み出された識別情報と、前記登録部に登録されている識別情報とが一致する場合に、前記読出部が読み出した識別情報が前記格納部に格納されている場合に、オペレーティングシステムの起動処理を実行する起動部とを具備することを特徴とする請求項２記載の電子機器システム。
【請求項５】
前記鉤部を回動させるモータを具備することを特徴とする請求項２記載の電子機器システム。
【請求項６】
前記ロック装置は、回動信号を送信するリモートコントロール装置と、前記リモートコントロール装置から送信された回動信号を受信する受信部と、前記受信部が回動信号を受信した場合に前記モータを駆動する駆動制御部を具備することを特徴とする請求項５記載の電子機器システム。
【請求項７】
前記回動許可部は、前記許可信号が供給された場合に前記受信部に電源を供給することを特徴とする請求項５記載の電子機器システム。
【請求項８】
前記検出部が前記ロック装置が前記連結孔に挿入されていない状態から前記ロック装置が前記連結孔に挿入されたことを検出した後に前記許可信号が前記回動許可部に供給された場合、前記回動許可部は、前記モータを駆動することを特徴とする請求項５記載の電子機器システム。
【請求項９】
ロック位置とロック解除位置との間を回動可能な鉤部と、許可信号を受信した場合に前記鉤部の回動を許可する回動許可部とを具備することを特徴とするロック装置。
【請求項１０】
前記鉤部を回動させるモータを具備することを特徴とする請求項９記載のロック装置。
【請求項１１】
回動信号を送信するリモートコントロール装置と、前記リモートコントロール装置から送信された回動信号に応じて前記モータを駆動する駆動制御部を具備することを特徴とする請求項１０記載のロック装置。
【発明の詳細な説明】
【技術分野】
【０００１】
本発明は、電子機器の盗難を防止するためのロック装置、電子機器と、この電子機器の盗難を防止するためのロック装置とを有する電子機器システムに関する。
【背景技術】
【０００２】
最近、ポータブルコンピュータに代表される携帯形情報機器が世の中に広く浸透している。この種のポータブルコンピュータは、携帯性を高めるため小型化、薄形化および軽量化が推進されており、バッグ等に収納して手軽に持ち運べるようになっている。
【０００３】
ところで、ポータブルコンピュータは、屋外ばかりでなくデスクトップ形コンピュータと同様にオフィスの机の上に置いて使用することが一般に行われている。この際、ポータブルコンピュータは、手軽に持ち運べるが故に机の上に放置しておくと、盗難の可能性を避けられない。そのため、従来のポータブルコンピュータは、盗難防止用のスロットを装備している。スロットは、盗難防止装置を取り外し可能に連結するためのものであり、ポータブルコンピュータの筐体の側面又は後面の一個所に開口されている（特許文献１）。
【０００４】
ポータブルコンピュータ用の盗難防止装置は、例えば金属ワイヤを束ねた強靭なセキュリティケーブルと、このセキュリティケーブルの一端に固定されたロックシリンダとを備えている。ロックシリンダは、筐体のスロットに取り外し可能に挿入される鉤形の頭部を有し、この頭部は、ロックキーによってロック位置とロック解除位置とに亘って回動操作されるようになっている。
【０００５】
そのため、セキュリティケーブルを例えばオフィスの机のような外部の固定物に繋ぎ止めた後に、ロックシリンダの頭部を筐体のスロットに挿入してロックすれば、セキュリティケーブルを介してポータブルコンピュータと固定物とを繋ぎ止めておくことができる。よって、ポータブルコンピュータの移動や持ち出しが制限され、このポータブルコンピュータの不所望な盗難を防止することができる。
【特許文献１】特開２０００−５６８５７号公報
【発明の開示】
【発明が解決しようとする課題】
【０００６】
ところで、ロックキーが複製されると、容易にポータブルコンピュータを盗むことが出来る。従って、ロックキーが複製されてもロックを解除することが出来ない機構が望まれている。
【０００７】
本発明の目的は、ロックキーが複製されてもロックを解除することが出来ないロック装置、および電子機器システムを提供することにある。
【課題を解決するための手段】
【０００８】
本発明の一例に係わる電子機器システムは、ロック位置とロック解除位置との間を回動可能な鉤部と、許可信号を受信した場合に前記鉤部の回動を許可する回動許可部とを有するロック装置と、周壁を有する筐体と、前記筐体の周壁に開口され、前記ロック装置の鉤部が挿入可能な連結孔と、前記ロック装置が前記連結孔に挿入されているか否かを検出する検出部と、前記ロック装置が前記連結孔に挿入されている場合に、前記ロック装置の回動許可部に前記許可信号を供給する手段とを有する電子機器とを具備する。
【発明の効果】
【０００９】
ロックキーが複製されてもロックを解除することが出来ない。
【発明を実施するための最良の形態】
【００１０】
本発明の実施の形態を以下に図面を参照して説明する。
【００１１】
図１は本発明の第１の実施の形態に係る電子機器システムとしてのノートブック型のパーソナルコンピュータ（電子機器）、並びにロック装置としてのセキュリティワイヤおよびリモートコントロールの構成の一例を示す図である。
【００１２】
パーソナルコンピュータ１０は、コンピュータ本体１２と、ディスプレイユニット１４とから構成されている。
【００１３】
表示部としてのディスプレイユニット１４は、コンピュータ本体１２の上面を覆う開放位置とコンピュータ本体１２の上面が露出する閉塞位置との間を回動自在に変化するように、コンピュータ本体１２の奥手側の端部に設けられたヒンジに取り付けられている。
【００１４】
コンピュータ本体１２は薄い箱形の筐体を有しており、その筐体上面中央部には、入力部としてのキーボード２０が設けられる。コンピュータ本体１２の手前側の筐体部分上面にはパームレストが形成されている。パームレストのほぼ中央部には、タッチパッド２２、タッチパッドコントロールボタン２６が設けられる。コンピュータ本体１２の奥側の筐体部分上面には、コンピュータ本体１２の電源をオン／オフするためのパワーボタンが配置されている。
【００１５】
コンピュータ本体１２を構成する筐体の周縁部に設けられたセキュリティスロット（連結孔）にセキュリティワイヤ２００の頭部２０１に設けられた鉤が挿入され、コンピュータ本体１２とセキュリティワイヤ２００とが連結されている。セキュリティワイヤ２００のＵＳＢコネクタ２０２がコンピュータ本体１２の周縁部に設けられたＵＳＢポートに挿入されている。
【００１６】
セキュリティワイヤ２００のケーブル２０３の一端がセキュリティワイヤ２００の頭部２０１に取り外し不能に連結されるようになっている。ケーブル２０３の他端が、容易に移動できない外部の固定物としての机４０１に接続され、コンピュータ１０の盗難を防止している。
【００１７】
机４０１上に、ボタン３０１の操作によって、セキュリティワイヤ２００に連結／連結解除を指示するためのリモートコントロール３００が載置されている。
【００１８】
次に、図２を参照して、コンピュータ、セキュリティワイヤ、およびリモートコントロールのシステム構成の一例について説明する。
【００１９】
本コンピュータは、図２に示されているように、ＣＰＵ１０２、ノースブリッジ１０４、メインメモリ１１４、グラフィクスコントローラ１０８、サウスブリッジ１０６、ＢＩＯＳ−ＲＯＭ１２０、ハードディスクドライブ（ＨＤＤ）１２６、エンベデッドコントローラ／キーボードコントローラＩＣ（ＥＣ／ＫＢＣ）１２４、および電源コントローラ１２５等を備えている。
【００２０】
ＣＰＵ１０２は本コンピュータの動作を制御するために設けられたプロセッサであり、ハードディスクドライブ（ＨＤＤ）１２６からメインメモリ１１４にロードされる、オペレーティングシステム（ＯＳ）およびユーティリティ１４０等の各種アプリケーションプログラムを実行する。
【００２１】
また、ＣＰＵ１０２は、ＢＩＯＳ−ＲＯＭ１２０に格納されたシステムＢＩＯＳ（Basic Input Output System）をメインメモリ１１４にロードした後、実行する。システムＢＩＯＳはハードウェア制御のためのプログラムである。
【００２２】
ノースブリッジ１０４はＣＰＵ１０２のローカルバスとサウスブリッジ１０６との間を接続するブリッジデバイスである。ノースブリッジ１０４には、メインメモリ１１４をアクセス制御するメモリコントローラも内蔵されている。また、ノースブリッジ１０４は、ＡＧＰ（Accelerated Graphics Port）バスなどを介してグラフィクスコントローラ１０８との通信を実行する機能も有している。
【００２３】
グラフィクスコントローラ１０８は本コンピュータのディスプレイモニタとして使用されるＬＣＤ１６を制御する表示コントローラである。このグラフィクスコントローラ１０８はビデオメモリ（ＶＲＡＭ）を有しており、ＯＳ／アプリケーションプログラムによってビデオメモリに描画された表示データから、ＬＣＤ１６に表示すべき表示イメージを形成する映像信号を生成する。グラフィクスコントローラ１０８によって生成された映像信号はラインに出力される。
【００２４】
エンベデッドコントローラ／キーボードコントローラＩＣ（フィルタ制御部）１２４は、入力手段としてのタッチパッド２２、およびタッチパッドコントロールボタン２６のコントロールを行うコントローラとして機能する。エンベデッドコントローラ／キーボードコントローラＩＣ１２４は、コンピュータシステム１０のシステム状態に関わらず、各種のデバイス（周辺装置やセンサ、電源回路等）を監視し制御するワンチップ・マイコンである。
【００２５】
電源コントローラ１２５は、バッテリ１２５Ａ、またはＡＣアダプタ１２５Ｂを介して供給される外部電源を用いて本コンピュータ１０の各コンポーネントに供給すべきシステム電源を生成する。
【００２６】
セキュリティワイヤ２００は、コンピュータ本体１２に設けられたセキュリティスロット１３０に鉤２１１を挿入して、モータ２１２によって鉤２１１をロック解除位置からロック位置に回動させる。すると、鉤２１１がセキュリティスロット１３０の開口縁部に引っ掛かり、連結されるようになっている。
【００２７】
モータ２１２は、コントローラ２１３からの指示に応じて鉤２１１をロック解除位置からロック位置に回動させる、或いは鉤２１１をロック位置からロック解除位置に回動させる。
【００２８】
コントローラ２１３は、リモートコントロール３００のボタン３０１が操作された場合に、モータ２１２を駆動する。
【００２９】
ユーザがリモートコントロール３００のボタン３０１を操作した場合、コントローラ３０３は、送信部３０４から無線信号を用いてロック／アンロック信号を送信する。セキュリティワイヤ２００の頭部２０１に設けられた受信部２１５がリモートコントロール３００の送信部３０４から送信されたロック／アンロック信号を受信し、コントローラ２１３に供給する。なお、無線信号のかわりに赤外線信号を用いてロック／アンロック信号の送受信を行っても良い。
【００３０】
セキュリティワイヤ２００の頭部２０１に設けられたモータ２１２およびコントローラ２１３を駆動するための電源はＵＳＢポートからＵＳＢコネクタ２０２を介して供給される。回動許可部としてのコントローラ２１３は電源制御回路を有し、コンピュータ本体１２から給電許可信号が許可された場合に受信部２１５に電源を供給する。
【００３１】
次ぎに、コンピュータ１０が起動している状態で、コンピュータ１０とセキュリティワイヤ２００とを連結する処理の手順を図３のフローチャートを用いて説明する。
【００３２】
コンピュータが起動している状態で、ユーザが、セキュリティワイヤ２００の鉤２１１がコンピュータ本体１２に設けられたセキュリティスロットに挿入し、且つＵＳＢコネクタがＵＳＢポートに挿入する（ステップＳ１１）。サウスブリッジ１０６に内蔵された検出部としてのＵＳＢコントローラが、ＵＳＢコネクタ２０２が挿入されたことを検出する。ＵＳＢコントローラは、システム上に常駐しているドライバにＵＳＢコネクタ２０２が挿入されたことを通知すると共に、ＵＳＢの給電機能を利用してセキュリティワイヤ２２０に電源を供給する。ドライバはユーティリティ１４０を自動的に起動する。本実施形態では、セキュリティスロット１３０の鉤２１１の挿入を直接検出する機構を設けるのではなく、ＵＳＢコネクタ２０２のＵＳＢポートへの抜挿を検出することによって、セキュリティスロット１３０への鉤２１１の挿入を検出している。
【００３３】
読出部としてのユーティリティ１４０は、ＩＤ情報格納部２１４からＩＤ情報を読み出す（ステップＳ１２）。ユーティリティ１４０は、読み出したＩＤ情報が既に登録部としてのレジスタ１４１に登録されているか否かを判定する（ステップＳ１３）。読み出したＩＤ情報がレジスタ１４１に格納されていない場合（ステップＳ１３のＮｏ）、ユーティリティ１４０は、ＬＣＤ１６にパスワード入力画面を表示する（ステップＳ１４）。
【００３４】
ユーティリティ１４０は、パスワードが設定されるまで待機する(ステップＳ１５)。パスワードが設定されると(ステップＳ１５のＹｅｓ)、ユーティリティ１４０は、セキュリティワイヤ２００から読み出したＩＤ情報に設定された設定されたパスワードを関連づけてレジスタ１４１に登録する(ステップＳ１６)。
【００３５】
ＩＤ情報がレジスタ１４１に登録されていた場合（ステップＳ１３のＹｅｓ）、またはステップＳ１４の処理によるレジスタ１４１への登録後、ユーティリティ１４０は、コントローラ２１３に対して給電許可信号を送信し、受信部２１５に電源を供給するように指示する。コントローラ２１３は、ユーティリティ１４０からの指示に従って受信部２１５に電源を供給する(ステップＳ１７)。
【００３６】
コントローラ２１３は、リモートコントロール３００からのロック／アンロック信号を受信するまで待機する(ステップＳ１８)。ロック／アンロック信号を受信した場合(ステップＳ１８のＹｅｓ）、コントローラ２１３はモータ２１２を駆動し、鉤２１１をロック位置まで回動させる（ステップＳ１９）。その後、コントローラ２１３は、受信部２１５への電源の供給を停止する。
【００３７】
以上の処理で、コンピュータ１０側の制御によりコンピュータ本体１２とセキュリティワイヤ２００を連結することができる。
【００３８】
なお、セキュリティワイヤ２００から読み出したＩＤ情報がレジスタ１４１に登録されている場合、モータ２１２を駆動させて鉤部がロック位置に回動するようにしても良い。
【００３９】
次ぎに、システムが起動している状態で、セキュリティワイヤ２００の鉤２１１をロック解除位置に回動させて、コンピュータ本体１２からセキュリティワイヤ２００を外すための手順を図４のフローチャートを参照して説明する。
【００４０】
ユーザは、コンピュータ本体１２からセキュリティワイヤ２００を外すためにユーティリティ１４０を起動する。ユーティリティ１４０は、ユーザがパスワードを入力するまで待機する（ステップＳ２１）。パスワードが入力された場合（ステップＳ２１のＹｅｓ）、入力されたパスワードがレジスタに登録され、ＩＤ情報に関連付けられたパスワードと一致しているか否かを判定する（ステップＳ２２）。パスワードが一致していない場合（ステップＳ２２のＮｏ）、ステップＳ２１の処理に戻る。
【００４１】
パスワードが一致していた場合（ステップＳ２２のＹｅｓ）、ユーティリティ１４０は、セキュリティワイヤ２００のコントローラ２１３に対して給電許可信号を送信し、受信部２１５に電源を供給するように指示する。コントローラ２１３は、受信部に電源を供給する（ステップＳ２３）。
【００４２】
コントローラ２１３は、リモートコントロール３００からのロック／アンロック信号を受信するまで待機する(ステップＳ２３)。ロック／アンロック信号を受信した場合(ステップＳ２４のＹｅｓ）、コントローラ２１３はモータ２１２を駆動し、鉤２１１をロック解除位置まで回動させる（ステップＳ２５）。その後、コンピュータ１０からセキュリティワイヤ２００へ供給されていた出減の供給を停止し、ＵＳＢポートに挿入されているＵＳＢコネクタ２０２を抜くことを可能にする。
【００４３】
その後、ユーザがセキュリティスロット１３０から鉤２１１を抜くと共に、ＵＳＢポートに挿入されているＵＳＢコネクタ２０２を抜くことで、コンピュータ本体１２からセキュリティワイヤ２００が取り外される。
【００４４】
以上の処理で、システムの起動時、ユーザが入力したパスワードが一致した場合に限って、セキュリティワイヤ２００の鉤２１１を回動させることができる。開閉できるリモートコントロールが有っても、ロックを解除することが出来ない
なお、システムが起動していない場合、ＵＳＢポートから電源が供給されないので、鉤２１１を駆動することが出来ない。ＵＳＢコネクタ２０２を利用せずに、頭部２０１に常に電源を供給するためのラインを別途設け、システムが起動していない状態では、リモートコントロール３００の操作だけで鉤２１１を回動させるようにしても良い。
【００４５】
次ぎに、電源を投入しシステムを起動する手順を図５のフローチャートを用いて説明する。
【００４６】
システムＢＩＯＳは、コンピュータ本体１２にセキュリティワイヤ２００が連結されているか否かを判定する(ステップＳ３１)。システムＢＩＯＳは、ＵＳＢポートにＵＳＢコネクタが挿入されているか否かを検出することで、セキュリティワイヤ２００が連結されているか否かを判定する。
【００４７】
セキュリティワイヤが連結されている場合（ステップＳ３１のＹｅｓ）、システムＢＩＯＳは、セキュリティワイヤ２００のコントローラに給電許可信号を送信し、受信部２１５へ電源を供給するように指示する。
【００４８】
ＩＤ情報格納部２１４に格納されたＩＤ情報を読み出す（ステップＳ３２）。システムＢＩＯＳは、読み出したＩＤ情報が、レジスタ１４１に登録されているＩＤ情報と一致するか否かを判定する（ステップＳ３３）。ＩＤ情報が一致している場合（ステップＳ３３のＹｅｓ）、ユーザパスワードによる認証処理をスキップして、この後、システムＢＩＯＳは、オペレーティングシステムをブートするためのブートシーケンスを開始する（ステップＳ３４）。
【００４９】
セキュリティワイヤが連結されていないと判定した場合（ステップＳ３１のＮｏ）、またはＩＤ情報が一致していない場合（ステップＳ３３のＮｏ）、システムＢＩＯＳは、ユーザパスワードの入力を要求する認証画面をＬＣＤ１６上に表示して、ユーザパスワードの入力をユーザに要求する（ステップＳ３６）。この認証画面には、ユーザパスワードの入力を要求するテキストメッセージ（PASSWORD=）が表示される。
【００５０】
システムＢＩＯＳは、ユーザがユーザパスワードを入力するまで待機する（ステップＳ３７）。ユーザパスワードが入力された場合（ステップＳ３７のＮｏ）、システムＢＩＯＳは入力されたユーザパスワードが正しいか否かを判定する（ステップＳ３８）。
【００５１】
入力されたユーザパスワードが正しければ（ステップＳ３８のＹｅｓ）、システムＢＩＯＳは、オペレーティングシステムをブートするためのブートシーケンスを開始する（ステップＳ３４）。
【００５２】
以上の処理によって、セキュリティワイヤ２００がコンピュータ本体１２に連結されている場合に、ユーザパスワードの入力を省略し、システムの起動の簡略化することができる。
【００５３】
上記システムでは、ＵＳＢコネクタ２０２の挿入によりセキュリティワイヤ２００の連結を判定しているが、セキュリティワイヤ２００に格納されているＩＤ情報とレジスタ１４１に登録に登録されているＩＤ情報とが一致するか確認しているので、登録されていないセキュリティワイヤ２００のＵＳＢコネクタ２０２をＵＳＢポートに挿入しても、起動することがない。
【００５４】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５５】
【図１】第１の実施の形態に係る電子機器システムとしてのノートブック型のパーソナルコンピュータ（電子機器）、並びにロック装置としてのセキュリティワイヤおよびリモートコントロールの構成の一例を示す図。
【図２】コンピュータ、セキュリティワイヤ、およびリモートコントロールのシステム構成の一例を示すブロック図。
【図３】コンピュータ１０が起動している状態で、コンピュータ１０とセキュリティワイヤ２００とを連結する処理の手順を示すフローチャート。
【図４】システムが起動している状態で、セキュリティワイヤの鉤をロック解除位置に回動させて、コンピュータ本体からセキュリティワイヤを外すための手順を示すフローチャート。
【図５】電源を投入しシステムを起動する手順を示すフローチャート。
【符号の説明】
【００５６】
１０…パーソナルコンピュータ，１２…コンピュータ本体，１４…ディスプレイユニット，１６…ＬＣＤ，１７…プライバシーフィルタ，２０…キーボード，２２…タッチパッド，２６…タッチパッドコントロールボタン，１０２…ＣＰＵ，１０６…サウスブリッジ，１１４…メインメモリ，１２０…ＲＯＭ−ＲＯＭ，１２４…エンベデッドコントローラ／キーボードコントローラＩＣ，１２５…電源コントローラ，１２６…ハードディスクドライブ，１３０…セキュリティスロット，１４０…ユーティリティ，１４１…レジスタ，２００…セキュリティワイヤ，２０１…頭部，２０２…ＵＳＢコネクタ，２０３…ケーブル，２１１…鉤，２１２…モータ，２１３…コントローラ，２１４…ＩＤ情報格納部，２１５…受信部，２２０…セキュリティワイヤ，３００…リモートコントロール，３０１…ボタン，３０３…コントローラ，３０４…送信部，４０１…机
【図１】
2007172413.tif 000003
【図２】
2007172413.tif 000004
【図３】
2007172413.tif 000005
【図４】
2007172413.tif 000006
【図５】
2007172413.tif 000007